(57)【要約】      （修正有）【課題】ユーザのために肌分析を実行する方法、システム、及び装置を提供する。【解決手段】ユーザ画像を反射するように動作可能であり、グラフィカルユーザインターフェースをレンダリングするように動作可能である反射型ディスプレイと、機器を操作するためのユーザ入力を受信するように動作可能な入力インターフェースであって、ジェスチャのユーザ入力を検出するモーションセンサモジュールを備える入力インターフェースと、ユーザ画像を取り込む画像取込みモジュールと、取り込まれた画像を受信し、入力インターフェースからユーザ入力を受信し、取り込まれた画像に基づいてユーザの肌状態に対応する肌プロファイルを生成するように構成された処理システムと、コンピューティング装置へ向かって肌プロファイルを送信し、肌プロファイルに基づいて生成されるスキンケアフィードバックを受信するように動作可能である無線通信モジュールとを備える。【選択図】図８
2018108377.tif 000002
【特許請求の範囲】
【請求項１】
パーソナライズされた肌分析を実行するための機器であって、
基部と、
前記基部に結合された反射型ディスプレイであって、ユーザの画像を反射するように動作可能であると共に前記ユーザが情報を受け取るためのグラフィカルユーザインターフェースを表示するように動作可能である反射型ディスプレイと、
前記基部に結合され、前記機器を操作するためのユーザ入力を受信するように動作可能な入力インターフェースであって、前記ユーザ入力としてユーザのジェスチャを検出するように動作可能なモーションセンサモジュールを備える入力インターフェースと、
前記基部に結合され、前記ユーザの画像を取り込むように動作可能な画像取込みモジュールと、
前記画像取込みモジュール、前記反射型ディスプレイ、及び前記入力インターフェースと通信している処理システムであって、前記画像取込みモジュールから、取り込まれた前記画像を受信し、前記入力インターフェースから前記ユーザ入力を受信し、取り込まれた前記画像に基づいて前記ユーザの肌状態に対応する肌プロファイルを生成するように構成されている処理システムと、
前記処理システムと通信している無線通信モジュールであって、コンピューティング装置へ向かって前記肌プロファイルを送信するように動作可能であると共に、前記コンピューティング装置から、前記肌プロファイルに基づいて生成されるスキンケアフィードバックを受信するように動作可能である無線通信モジュールと
を備える機器。
【請求項２】
前記肌プロファイルは、目のくま、毛穴、赤い斑点、しみ、小じわ、しわ、及び肌の色つやを含むスキンファクタのうち少なくとも一つに基づいて生成されるデータを含む、請求項１記載の機器。
【請求項３】
前記肌プロファイルは、透明感、キメ、ハリ、明るさ、及び健康さを含む５つの肌指数のうち少なくとも一つに対応するデータを含み、前記５つの肌指数の各々は、目のくま、毛穴、赤い斑点、しみ、小じわ、しわ、及び肌の色つやを含むスキンファクタのうち少なくとも一つに対応するデータから得られる、請求項１記載の機器。
【請求項４】
取り込まれた前記画像及び前記肌プロファイルを記憶するように動作可能であるメモリを更に備え、前記肌プロファイルは、前記５つの肌指数から前記ユーザが選択した一つの肌指数を目標として更に含み、前記処理システムは、予め定められた期間にわたって前記ユーザの画像を定期的に取り込み、取り込まれた前記画像ごとに、選択された前記肌指数を追跡するように構成されている、請求項３記載の機器。
【請求項５】
前記処理システムは、取り込まれた前記画像のうちの二つの画像の少なくとも一部を比較のために同時に提示するグラフィカルユーザインターフェースを前記反射型ディスプレイ上にレンダリングするように動作可能である、請求項４記載の機器。
【請求項６】
前記スキンケアフィードバックは、前記ユーザの肌プロファイルに基づいた少なくとも一つのスキンケア製品の推奨を含む、請求項１記載の機器。
【請求項７】
前記スキンケアフィードバックは、推奨された前記スキンケア製品及びスキンケアを実行するステップを含む、前記ユーザの肌プロファイルに基づいた推奨されたスキンケアルーティンを更に含み、前記肌プロファイルは、前記ユーザの性別、年齢、及びライフスタイルの情報を含む、請求項６記載の機器。
【請求項８】
前記入力インターフェースは、音声入力を検出する音声認識モジュールを更に含む、請求項１記載の機器。
【請求項９】
前記画像取込みモジュールは、バーコードの画像を取り込み、前記処理システムへ前記バーコードの画像を送信するように動作可能であり、前記処理システムは、前記バーコードの画像に対応するスキンケア製品を認識し類別するように動作可能である、請求項１記載の機器。
【請求項１０】
前記入力インターフェースは、作動時に前記グラフィカルユーザインターフェースをナビゲートするように動作可能である一つ以上のタッチキーを更に備える、請求項１記載の機器。
【請求項１１】
前記入力インターフェースは、熱放射を検出するように動作可能である赤外線センサを更に備え、前記処理システムは、スタンバイモードに入り、熱放射を伴う対象物を前記赤外線センサが検出したことに応答して前記スタンバイモードから起動するように動作可能である、請求項１記載の機器。
【請求項１２】
前記反射型ディスプレイに結合されたＬＥＤライトのアレイを更に備え、前記ＬＥＤライトは、前記処理システムによって制御され、複数の照明条件を与えるように動作可能である、請求項１記載の機器。
【請求項１３】
前記反射型ディスプレイは、半透過コーティングを備える、請求項1記載の機器。
【請求項１４】
前記画像取込みモジュールは、前記画像取込みモジュールを開閉するように動作可能な複数の遮蔽板を備える、請求項１記載の機器。
【請求項１５】
前記画像取込みモジュールは、レンズモジュールと、前記レンズモジュールを囲む周辺に配設された補助光源とを備える、請求項１記載の機器。
【請求項１６】
前記画像取込みモジュールは、前記基部に脱着可能に接続されたヒンジを備え、前記ヒンジは、前記基部に対して前記画像取込みモジュールの角度を変更するように動作可能である、請求項１記載の機器。
【請求項１７】
肌分析を実行するコンピュータ実施方法であって、
反射型ディスプレイ上に、ユーザへの情報を表示するためのグラフィカルユーザインターフェースをレンダリングするステップと、
前記グラフィカルユーザインターフェースと対話するためのジェスチャ入力を前記ユーザから受信するステップと、
画像取込みモジュールによって前記ユーザの画像を取り込むステップと、
取り込まれた前記画像を処理して前記ユーザの肌状態を分析するステップと、
前記ユーザの前記肌状態の前記分析に基づいて肌プロファイルを生成するステップと、
コンピューティング装置へ向かって前記肌プロファイルを無線送信するステップと、
前記コンピューティング装置から、前記ユーザの前記肌プロファイルに基づいて生成されるスキンケアフィードバックを受信し、受信した前記スキンケアフィードバックを前記ユーザへ提示するために前記グラフィカルユーザインターフェースを使用するステップと
を含む方法。
【請求項１８】
前記反射型ディスプレイに前記肌プロファイルを表示するステップを更に含み、
前記肌プロファイルは、目のくま、毛穴、赤い斑点、しみ、小じわ、しわ、又は肌の色つやを含むスキンファクタのうち少なくとも一つに対応するデータを含む、請求項１７に記載の方法。
【請求項１９】
前記反射型ディスプレイに前記肌プロファイルを表示するステップを更に含み、
前記肌プロファイルは、透明感、キメ、ハリ、明るさ、及び健康さを含む５つの肌指数のうち少なくとも一つを含み、前記５つの肌指数の各々は、目のくま、毛穴、赤い斑点、しみ、小じわ、しわ、及び肌の色つやを含むスキンファクタのうち少なくとも一つに基づいて得られる、請求項１７に記載の方法。
【請求項２０】
５つの肌指数から一つの肌指数を目標として選択するステップと、
予め定められた期間にわたって前記ユーザの画像を定期的に取り込むステップと、
取り込まれた前記画像ごとに、選択された前記肌指数を追跡するステップと、
前記反射型ディスプレイ上に、取り込まれた前記画像ごとに選択された前記肌指数を示すステップと
を更に含む、請求項１８に記載の方法。
【請求項２１】
取り込まれた前記画像のうち二つの画像の少なくとも一部を比較のために同時に提示するグラフィカルユーザインターフェースを前記反射型ディスプレイ上にレンダリングするステップ
を更に含む、請求項２０に記載の方法。
【請求項２２】
前記反射型ディスプレイ上にグラフィカルユーザインターフェースをレンダリングし、前記ユーザの肌プロファイルに基づいた少なくとも一つのスキンケア製品の推奨を提示するステップ
を更に含む、請求項１７に記載の方法。
【請求項２３】
推奨された前記スキンケア製品及び前記ユーザの肌プロファイルに基づいてスキンケアを実行するステップを含む前記ユーザについての推奨されたスキンケアルーティンを提示するグラフィカルユーザインターフェースを前記反射型ディスプレイ上にレンダリングするステップ
を更に含み、前記肌プロファイルは、前記ユーザの性別、年齢、及びライフスタイルの情報を含む、請求項２２に記載の方法。
【請求項２４】
肌を分析するサーバシステムであって、
情報を送受信する通信ユニットと、
命令を含む情報を保持する一つ以上のメモリと、
前記通信ユニット及び前記一つ以上のメモリに結合されている処理システムと
を備え、
前記処理システムは、前記通信ユニットを介して肌分析装置からユーザの肌プロファイルを受信し、前記肌プロファイルに基づいてスキンケアフィードバックを生成し、前記通信ユニットを介して前記肌分析装置へ前記スキンケアフィードバックを送信するために前記一つ以上のメモリから前記命令を読み込む
ように動作可能である、サーバシステム。
【請求項２５】
前記ユーザの肌プロファイルに基づいて前記ユーザを肌状態のグループに分類するステップを更に含み、前記肌状態のグループは、異なるユーザからの一つ以上の肌プロファイルを含むように形成される、請求項２４に記載のサーバシステム。
【請求項２６】
前記分類するステップは、前記ユーザの性別、年齢、及び地理的位置に基づいて実行される、請求項２５に記載のサーバシステム。
【請求項２７】
前記スキンケアフィードバックは、前記ユーザの地理的位置の気象条件に基づいて生成される、請求項２４に記載のサーバシステム。
【請求項２８】
前記スキンケアフィードバックは、前記ユーザの肌プロファイルに基づいた少なくとも一つのスキンケア製品の推奨を含む、請求項２４に記載のサーバシステム。
【請求項２９】
前記スキンケアフィードバックは、推奨された前記スキンケア製品及び前記ユーザの肌プロファイルに基づいてスキンケアを実行するステップを含む前記ユーザについての推奨されたスキンケアルーティンを更に含み、前記肌プロファイルは、前記ユーザの性別、年齢、及びライフスタイルの情報を含む、請求項２８に記載のサーバシステム。
【請求項３０】
前記スキンケアフィードバックと前記ユーザによって使用された既存のスキンケア製品とに基づいて前記ユーザのためのスキンケア製品のリストを構築するステップ
を更に含む、請求項２４に記載のサーバシステム。
【請求項３１】
肌分析を実行するための機器を備え、
前記機器は、
基部と、
前記基部に結合され、ユーザの画像を反射するように動作可能であると共に前記ユーザに情報を与えるグラフィカルユーザインターフェースをレンダリングするように動作可能である反射型ディスプレイと、
前記基部に結合され、前記機器を操作するためのユーザ入力を受信するように動作可能な入力インターフェースであって、ジェスチャのユーザ入力を検出するように動作可能なモーションセンサモジュールを備える入力インターフェースと、
前記基部に結合され、前記ユーザの画像を取り込むように動作可能な画像取込みモジュールと、
前記画像取込みモジュール、前記反射型ディスプレイ、及び前記入力インターフェースと通信している処理システムであって、前記画像取込みモジュールから、取り込まれた前記画像を受信し、前記入力インターフェースから前記ユーザ入力を受信し、取り込まれた前記画像に基づいて前記ユーザの肌状態に対応する肌プロファイルを生成するように構成されている処理システムと、
前記処理システムと通信している無線通信モジュールであって、コンピューティング装置へ向かって前記肌プロファイルを送信するように動作可能であると共に、前記コンピューティング装置から、前記肌プロファイルに基づいて生成されるスキンケアフィードバックを受信するように動作可能である無線通信モジュールと
を備え、
肌を分析するためのサーバを備え、前記サーバは、
通信ユニットと、
命令を含む情報を保持する一つ以上のメモリと、
前記通信ユニット及び前記一つ以上のメモリに結合されており、前記通信ユニットを介して肌分析装置からユーザの肌プロファイルを受信し、前記肌プロファイルに基づいてスキンケアフィードバックを生成し、前記通信ユニットを介して前記肌分析装置へ前記スキンケアフィードバックを送信するために前記一つ以上のメモリから前記命令を読み込むように動作可能である処理システムと
を備えた、
肌を分析するためのシステム。
【請求項３２】
前記肌を分析するためのサーバから前記肌プロファイル及び前記スキンケアフィードバックを受信するように動作可能であるモバイルデバイスを更に含む、請求項３１に記載のシステム。
【請求項３３】
前記サーバの前記処理システムは、前記ユーザの肌プロファイルに基づいて前記ユーザを肌状態のグループに分類するために前記一つ以上のメモリから前記命令を読み込むように動作可能であり、前記肌状態のグループは、異なるユーザからの一つ以上の肌プロファイルを含むように形成される、請求項３１に記載のシステム。
【請求項３４】
前記ユーザは、前記ユーザの性別、年齢、及び地理的位置に基づいて前記肌状態のグループに分類される、請求項３３に記載のシステム。
【請求項３５】
モバイルデバイスを介して肌分析装置を構成するコンピュータ実施方法であって、
肌分析を実行し前記モバイルデバイス上で肌情報を管理するためのアプリケーションをインストールするステップと、
ユーザのアカウント情報を用いて前記アプリケーションにサインインするステップと、
前記モバイルデバイスを用いて、前記肌分析装置によってブロードキャストされる第１の無線ネットワークを発見するステップと、
前記モバイルデバイスに前記第１の無線ネットワークに参加するように指示することによって前記モバイルデバイスを前記肌分析装置に接続するステップと
を含む方法。
【請求項３６】
前記肌分析装置を第２の無線ネットワークに接続するステップを更に含む、請求項３５に記載の方法。
【請求項３７】
前記第２の無線ネットワークは、前記モバイルデバイスによってブロードキャストされる、請求項３６に記載の方法。
【請求項３８】
前記モバイルデバイスを用いて新しいアカウントを生成するステップを更に含む、請求項３５に記載の方法。
【請求項３９】
前記肌分析装置による顔認識を可能にするために前記肌分析装置を用いて顔画像を取り込むステップを更に含む、請求項３５に記載の方法。
【請求項４０】
前記肌分析装置による音声認識を可能にするために前記肌分析装置を用いて音声クリップを記録するステップを更に含む、請求項３５に記載の方法。
【発明の詳細な説明】
【技術分野】
【０００１】
関連出願の相互参照
本出願は、(1)「Method for Obtaining Care Information, Method for Sharing Care Information, and Electronic Apparatus Therefor」と題され2016年5月24日に出願された台湾出願第105116064号、及び(2)「Method for Obtaining Care Information, Method for Sharing Care Information, and Electronic Apparatus Therefor」と題され2016年7月27日に出願された米国特許出願第１５／２２０，３９９号の優先権及び利益を主張するものである。上記特許出願の開示全体は、参照により本明細書に組み込まれ、本明細書の一部をなす。
【０００２】
加えて、本出願は、米国特許出願第15/220,399号の一部継続出願である。
【０００３】
本明細書中に開示された主題は、肌診断を行うと共に、肌診断に基づいてユーザにパーソナライズされたスキンケア情報を与える技法、装置、及びシステムに関する。
【背景技術】
【０００４】
従来の肌診断では、肌状態の情報を得るために、専門家用の肌分析機器がしばしば含まれる。しかしながら、肌状態の診断を行うために、高度に訓練された専門家(典型的には、皮膚科医)が、機器を操作し、診断を行う機器によってレンダリングされる肌分析の結果に専門家としての判断を適用する必要がある。この診断に基づいて、専門家は、患者にスキンケア製品又は治療を推奨することができる。
【発明の概要】
【発明が解決しようとする課題】
【０００５】
本特許文献における開示された技術は、ユーザの家庭、オフィス、又は選ばれた場所でユーザの都合のよいときにユーザが肌診断を実行し、スキンケア又は治療における必要とされる支援を受けるパーソナライズされたシステムを提供するように実施することができる。このパーソナライズされたシステムは、専門家用の肌診断システムの何らかの制約、例えば、従来の肌分析機器の大きいサイズ及び高い価格設定を避け、家庭での使用又は規則的な消費者の使用を含めて個人のプライバシーを伴うユーザの選択する場所での個人的使用のために作製されたユーザフレンドリーな肌診断システムを提供するように設計することができ、個別化された肌状態及び個人的ニーズに基づいてパーソナライズされた肌状態及びスキンケアを個別の消費者が簡単に利用できることを可能にするようになっている。また、開示された技術は、皮膚科医を訪問する必要なく、スキンケア製品及び治療についてのスキンケアの専門家の判断を利用できるようにしている。開示された技術は、電源オンした後に肌分析装置を構成及びセットアップするように実施することもできる。
【０００６】
例えば、本開示の主題による肌分析機器は、ユーザの寝室又はバスルーム内に設置することができる。この機器は、好ましくは反射型ディスプレイを装備し、この反射型ディスプレイは、グラフィカルユーザインターフェースを表示するように動作可能であり、電源オフ時に、ユーザの画像を反射するための普通の鏡のように働くことができる。ユーザが簡単に利用できるので、機器は、毎日のようにユーザの肌状態を収集及び分析し、スキンケアの推奨(skincare recommendation)をユーザに与えることができる。
【課題を解決するための手段】
【０００７】
一態様では、肌分析を実行するための機器が開示されている。この機器は、基部と、基部に結合され、ユーザの画像を反射するように動作可能であると共にグラフィカルユーザインターフェースをレンダリングするように動作可能である反射型ディスプレイと、基部に結合された入力インターフェースであって、機器を操作するためのユーザ入力を受信するように動作可能であり、ジェスチャのユーザ入力を検出するように動作可能なモーションセンサモジュールを備える入力インターフェースと、基部に結合され、ユーザの画像を取り込むように動作可能な画像取込みモジュールと、画像取込みモジュール、反射型ディスプレイ、及び入力インターフェースと通信している処理システムであって、画像取込みモジュールから、取り込まれた画像を受信し、入力インターフェースからユーザ入力を受信し、取り込まれた画像に基づいてユーザの肌状態に対応する肌プロファイルを生成するように構成されている処理システムと、処理システムと通信している無線通信モジュールであって、コンピューティング装置へ向かって（outbound to）肌プロファイルを送信するように動作可能であると共に、コンピューティング装置から、肌プロファイルに基づいて生成されるスキンケアフィードバックを受信するように動作可能である無線通信モジュールとを備える。別の態様では、肌分析を実行するコンピュータ実施方法が開示されている。コンピュータ実施方法は、反射型ディスプレイ上に、ユーザへの情報を表示するためのグラフィカルユーザインターフェースをレンダリングするステップと、グラフィカルユーザインターフェースと対話するためのジェスチャ入力をユーザから受信するステップと、画像取込みモジュールによってユーザの画像を取り込むステップと、取り込まれた画像を処理してユーザの肌状態を分析するステップと、ユーザの肌状態の分析に基づいて肌プロファイルを生成するステップと、コンピューティング装置へ向かって肌プロファイルを無線送信するステップと、コンピューティング装置から、ユーザの肌プロファイルに基づいて生成されるスキンケアフィードバックを受信し、受信したスキンケアフィードバックをユーザへ提示するためにグラフィカルユーザインターフェースを使用するステップとを含む。
【０００８】
別の態様では、肌を分析するサーバシステムが開示されている。このサーバシステムは、通信ユニットと、命令を保持する一つ以上のメモリと、通信ユニット及び一つ以上のメモリに結合されている処理システムとを備え、処理システムは、メモリから命令を読み込み肌を分析する方法を実施するように動作可能であり、方法は、通信ユニットを介して肌分析装置からユーザの肌プロファイルを受信するステップと、肌プロファイルに基づいてスキンケアフィードバックを生成するステップと、通信ユニットを介して肌分析装置へスキンケアフィードバックを送信するステップとを含む。
【０００９】
別の態様では、肌を分析するためのシステムが開示されている。このシステムは、肌分析を実行するための機器を備える。その機器は、基部と；基部に結合され、ユーザの画像を反射するように動作可能であると共にグラフィカルユーザインターフェースをレンダリングするように動作可能である反射型ディスプレイと；基部に結合された入力インターフェースであって、機器を操作するためのユーザ入力を受信するように動作可能であり、ジェスチャのユーザ入力を検出するように動作可能なモーションセンサモジュールを備える入力インターフェースと；基部に結合され、ユーザの画像を取り込むように動作可能な画像取込みモジュールと、画像取込みモジュール、反射型ディスプレイ、及び入力インターフェースと通信している処理システムであって、画像取込みモジュールから、取り込まれた画像を受信し、入力インターフェースからユーザ入力を受信し、取り込まれた画像に基づいてユーザの肌状態に対応する肌プロファイルを生成するように構成されている処理システムと；処理システムと通信している無線通信モジュールであって、コンピューティング装置へ向かって肌プロファイルを送信するように動作可能であると共に、コンピューティング装置から、肌プロファイルに基づいて生成されるスキンケアフィードバックを受信するように動作可能である無線通信モジュールとを備える。システムは、肌を分析するためのサーバをも備える。サーバは、通信ユニットと、命令を保持する一つ以上のメモリと、通信ユニット及び一つ以上のメモリに結合されている処理システムとを備える。処理システムは、メモリから命令を読み込み肌を分析する方法を実施するように動作可能であり、方法は、通信ユニットを介して肌分析装置からユーザの肌プロファイルを受信するステップと、肌プロファイルに基づいてスキンケアフィードバックを生成するステップと、通信ユニットを介して肌分析装置へスキンケアフィードバックを送信するステップとを含む。
【００１０】
更に別の態様では、モバイルデバイスを介して肌分析装置を構成するコンピュータ実施方法が開示されている。この方法は、モバイルデバイス上で肌分析を実行し肌情報を管理するためのアプリケーションをインストールするステップと、ユーザのアカウント情報を用いてアプリケーションにサインインするステップと、モバイルデバイスを用いて肌分析装置によってブロードキャストされる第1の無線ネットワークを発見するステップと、モバイルデバイスに第1の無線ネットワークに参加するように指示することによってモバイルデバイスを肌分析装置に接続するステップとを備える。
【００１１】
上記及び他の態様及びその実施については、図面、明細書、及び特許請求の範囲により詳細に説明される。
【図面の簡単な説明】
【００１２】
【図１】肌分析システムアーキテクチャの例示的な全体像を示す図である。
【図２Ａ】肌分析装置の例示的な正面図である。
【図２Ｂ】肌分析装置の例示的な背面図である。
【図２Ｃ】肌分析装置の二つの例示的な側面図である。
【図２Ｄ】肌分析装置の例示的な底面図である。
【図２Ｅ】タッチキーの構成についての例示的な概略図である。
【図２Ｆ】タッチキーの構成についての別な例を示す図である。
【図２Ｇ】肌分析装置の例示的な斜視図である。
【図３Ａ】カメラモジュールの例示的な分解組立図である。
【図３Ｂ】カメラモジュールが肌分析装置の基部に結合され、それが基部に対してヒンジ式に動くことを可能にする例示的なコネクタを示す図である。
【図３Ｃ】異なる身長のユーザのためにカメラモジュールの角度を調整することができる肌分析装置を用いる例示的なシナリオを示す図である。
【図４Ａ】肌分析装置の設置後に肌分析装置をセットアップする例示的なステップを示す図である。
【図４Ｂ】音声認識又は顔認識によって肌分析システムにログインするユーザの一例を示す図である。
【図５】肌分析装置によって顔画像を撮るための例示的なユーザインターフェースを示す図である。
【図６】肌分析装置によってユーザの肌を分析するための例示的なスキンファクタを示す図である。
【図７】肌分析装置によってスキンファクタから得られる例示的な肌指数（ｓｋｉｎ  ｉｎｄｅｘ）を示す図である。
【図８】肌分析装置の例示的な概略図である。
【図９Ａ】５つの肌指数についてのスコアを用いて肌分析装置によって生成される例示的なグラフである。
【図９Ｂ】肌分析装置によって特定された問題の領域の例示的な概要を示す図である。
【図１０Ａ】肌指数「ハリ」について肌分析装置に表示された履歴的変化の例示的な図である。
【図１０Ｂ】肌分析装置によって取り込まれたユーザの最初の画像と最新画像の例示的な写真比較を示す図である。
【図１１】肌分析システムによって実行される複雑なデータ分析についての例示的な概略図である。
【図１２Ａ】肌分析装置に表示された例示的な昼のスキンケアルーティンを示す図である。
【図１２Ｂ】肌分析装置に表示された例示的な夜のスキンケアルーティンを示す図である。
【図１３Ａ】ユーザが認識及び分類のために製品のバーコードを肌分析装置の中にスキャンすることを可能にする例示的なユーザインターフェースを示す図である。
【図１３Ｂ】肌分析装置に表示された例示的なカスタマイズされた製品リストを示す図である。
【図１３Ｃ】肌分析装置に表示された例示的なスキンケアルーティン及びカスタマイズされた製品リストを示す図である。
【図１３Ｄ】肌分析装置に表示された例示的な製品記録レポートを示す図である。
【図１４】肌分析装置によってシミュレートされたライティングシナリオ（ｌｉｇｈｔｉｎｇ  ｓｃｅｎａｒｉｏ）の例を示す図である。
【図１５】ユーザの肌状態を分析する例示的な方法１５００を示すフローチャートである。
【図１６】肌状態を分析しユーザにフィードバックを与える例示的なサーバシステム１６００を示す図である。
【図１７】肌分析装置を構成する例示的な方法１７００を示すフローチャートである。
【図１８】スマート体重計装置と共に肌分析装置を使用する例示的なシナリオを示す図である。
【発明を実施するための形態】
【００１３】
人の肌状態は、人の外見にかなり影響を及ぼし、ある程度、人の健康を反映し得る。したがって、一部の人々は、より健康的又はより良い見かけの肌を手に入れることを望んでスキンケア製品に大量の時間とお金を投資する傾向がある。スキンケアは、毎年1000億ドルを超えるグローバルなスキンケア市場を有するかなり大きな産業である。スキンケアの自覚及び意識は、この産業の背後にある駆動力である。今日では、人々は、多機能製品にもはや満足しておらず、人々の肌状態の特定の問題を特定し、人々の独特な肌状態において特にターゲットとされる適切なスキンケア製品を選択するためにより効率的で、より良く、より便利なツールをますます要求する。パーソナライズされた肌診断、及び関連したパーソナライズされたスキンケアは、多くの消費者にとって魅力的であり得る。
【００１４】
専門家の肌分析データは、人々が自らの肌状態を理解するのを助けるのに役立つ情報である。しかしながら、専門家の肌分析データを手に入れることは面倒であり得、通常それは、皮膚科医のオフィスへ赴くことを含む。現代社会では、人々の忙しいスケジュールは、医者の訪問の邪魔となり、したがってそのような情報の簡単な利用を妨げ得る。また、個人のためにそのような専門家の分析データを追跡し管理することが難しいことであり得る。
【００１５】
本明細書中に開示された主題の一態様は、人々の肌状態を容易に理解し、管理し、改善するように人々を支援する技法、システム、及び装置に向けられている。開示された技術は、頻繁な皮膚科医の訪問の必要性を大きく減少させる。また、本明細書中に開示されたものは、初期セットアップのためにユーザが肌分析装置を構成することを可能にする技法及び方法を含む。
【００１６】
図１は、本開示の主題による例示的な肌分析システム１００のアーキテクチャの全体像を示す。肌分析装置１０１は、例えば、ユーザの寝室又はバスルーム内でセットアップすることができる。装置１０１は、ユーザと対話し肌分析を実行するためにグラフィカルユーザインターフェースを表示するように動作可能である。代替として、ディスプレイは、オフにされ、ユーザの画像を反射する鏡として働くことができる。肌分析装置１０１は、ユーザの肌プロファイル、スキン製品の推奨、及び肌の秘訣に対応するデータなどの情報を送受信するために、ネットワークを介して（例えば、クラウドサービスを実現する）リモートサーバ１０３と無線通信する。受信した情報は、肌分析装置１０１、又はモバイルデバイス１０５（例えば、スマートフォン、又はタブレット）などの他の携帯型装置に表示することができる。
【００１７】
例示的な使用の一シナリオでは、肌分析装置１０１は、ユーザのバスルーム内に設置される。朝に顔をきれいにした後、ユーザは、自分の肌状態を測定し分析するために、装置１０１をオンにすることができる。測定及び分析データはまとめられ、サーバ１０３へ送られ、ユーザの肌プロファイルの一部になる。ユーザは、肌分析装置１０１上で過去のデータを見て、肌状態が改善されたかを確認するために迅速な比較を行うこともできる。好ましくは、ユーザは、表示をオフにし、他のスキンケア及び化粧のルーティンのために普通の鏡として装置１０１を使用することができる。ユーザは、モバイルデバイス上で日中に後でいつでも分析データ及び履歴データを見ることもできる。
【００１８】
そのような肌分析装置１０１の助けを借りることで、皮膚科医を頻繁に訪問することは、もはや必要ない。ユーザは、都合のよいときにユーザの肌状態を容易に分析することができる。加えて、肌分析装置１０１は、スキンケア製品が肌状態のいくらかの改善に貢献しているか追跡するのを便利にさせる。したがって、ユーザは、どの製品が自らにより適しているのかより良い感覚を得ることができる。また、肌分析システム１００は、リモートサーバ１０３に集約されデータベース１０２に記憶された様々な肌状態に関する製品の有効性についての知能知識を有するので、システム１００は、各ユーザの肌状態に合うようにされたさらなるスキンケアの秘訣及び製品の推奨を生成することもできる。
【００１９】
図８は、肌分析装１０１の例示的な概略図を示す。肌分析装置１０１は、（顔、手、又は首などの）ユーザの画像を反射する反射型ディスプレイ８０４と、装置の操作を容易にするグラフィカルユーザインターフェースとを備える。装置１０１は、ユーザから入力を受信する入力インターフェース８０６と、ユーザの顔、手、又は首の画像を取り込むことができる画像取込みモジュール８０８とを備える。装置１０１は、処理システム８１０を備える。処理システム８１０は、制御ユニット８１４と、画像処理プロセッサ８１６とを更に備え、画像処理プロセッサ８１６は、コードを記憶する一つ以上のメモリ（図示せず）と、この一つ以上のメモリからコードを読み込んで装置１０１の様々なコンポーネントを制御する一つ以上のプロセッサとを備える。何らかの実施形態では、画像処理プロセッサ８１６は、専用論理回路として実装することができる。装置１０１は、装置１０１がネットワークを介してデータベース１０２と結合されるリモートサーバ１０３に無線で通信することを可能にする無線通信モジュール８１２を備える。
【００２０】
図２Ａは、肌分析装置１０１の例示的な正面図を示す。装置１０１は、図８の画像取込みモジュール８０８の一実施形態としてカメラモジュール２０１を備える。カメラモジュール２０１は、顔画像、首画像、又は手画像を含むユーザの高解像度画像を撮ることができる。そして、例えば、顔画像は、顔の肌分析に使用される。カメラモジュール２０１に関しての詳細は、図３Ａ〜図３Ｃとの関連で更に説明される。好ましくは、肌分析装置１０１は、反射型ディスプレイ２０３を備える。反射型ディスプレイ２０３は、反射型ディスプレイ８０４の特定の実施形態であり、反射型ディスプレイ８０４がオフにされるとき、又は装置１０１全体が電源オフにされるとき、普通の鏡として機能することができる。いくつかの実施形態では、反射型ディスプレイ２０３は、鏡として最適な反射を実現するために、半透過コーティングで被覆される。半透過コーティング用の材料は、ＴｉＯ２、Ｎｂ２Ｏ５、又はＳｉＯ２などの非金属酸化物であり得る。いくつかの実施形態では、反射型ディスプレイ２０３は、防塵特性も特徴として備えることができ、不要な塵が反射型ディスプレイ２０３の表面に堆積するのを防ぐ。反射型ディスプレイ２０３がオンにされるとき、反射型ディスプレイ２０３は、装置１０１の操作を容易にするためにグラフィカルユーザインターフェースを示す。ユーザの操作に応じて、装置１０１は、肌分析を実行し、肌状態の目標及び経過を管理し、製品の推奨を提示することができる。グラフィカルユーザインターフェース及び装置１０１の他の機能性に関しての詳細は、図５から図１４に関連してより詳細に説明される。代替として、反射型ディスプレイ２０３は、入力インターフェース８０６として機能するタッチスクリーンとすることができる。いくつかの実施形態では、肌分析装置１０１は、入力インターフェース８０６として働くいくつかのセンサを備えることができる。例えば、ユーザは、ユーザのジェスチャの動きを検知するモーションセンサ２０５を介してグラフィカルユーザインターフェースと対話することができる。ジェスチャの動きの例は、左を振る、右を振る、振り上げる、振り下げる、及び前方に押すことを含む。いくつかの実施形態では、モーションセンサ２０５は、肌分析装置から３０センチメートルの範囲内で実行されるジェスチャの動きを感知し、そのような動きをジェスチャ制御に変換することができる。ジェスチャ制御は、パネル上の（図２Ｂに示されるような２０７などの）ある種のタッチキーにそれらが接触する必要がないので、部分的に、ユーザが肌分析装置１０１とより効率的に対話することを可能にする。タッチスクリーンがディスプレイとして使用される場合、装置１０１を操作するためにディスプレイ２０３のある領域（図示せず）に接触する必要はなく、したがって反射型ディスプレイ２０３は、指紋があまり付かない傾向となり、時間が経ってもきれいなままであり得る。マイクロフォン（図示せず）及び音声制御モジュールも、音声認識及び制御を可能にするために含むことができる。いくつかの実施形態では、肌分析装置１０１は、装置１０１に入力するための温度データ及び湿度を得ることができる図２Ｄに示されるような温度センサ２１３を装備する。
【００２１】
図２Ｂは、肌分析装置１０１の例示的な背面図を示す。いくつかの実施形態では、装置１０１は、肌分析装置の側面又は背面にいくつかのタッチキー２０７を備える。タッチキー２０７は、ユーザがグラフィックユーザインターフェースをナビゲートし、装置１０１を操作するためのショートカットを与える。ショートカットは、例えば、ホームページ（ホーム２１５）への直行、ディスプレイ（鏡２１７）のオンオフ、設定メニュー（メニュー２１９）の表示、及び現在のページ（２２１及び２２３）の上下へのナビゲートを含む。
【００２２】
図２Ｅは、タッチキー２０７の構成についての例示的な概略図を示す。図２Ｅには、キャパシタベースのプリント回路基板（ＰＣＢ）２２５は、タッチキー２０７の５つの金属パッド２２７、及びプラスチックケーシング２２９の下に配設される。図２Ｆは、タッチキー２０７の構成についての別な例を示す。図２Ｅに示された構成と同様に、タッチＰＣＢ２２５は、プラスチックケーシング２２９及び金属タッチプレート２２７の真下に配置される。
【００２３】
これらのタッチキー２０７は、肌分析装置１０１の二つの例示的な側面図を示す図２Ｃにも示されている。図２Ｃは、装置１０１の背面に位置する基部２０９を更に示す。基部２０９は、カメラモジュール２０１及び反射型ディスプレイ２０３に結合されている。基部２０９は、設置ブラケット（図示せず）を受け入れることができる溝２１１を備える。設置ブラケットは、鏡又は壁などの物体表面に肌分析装置１０１を固定するように構成されている。
【００２４】
図２Ｇは、肌分析装置１０１の例示的な斜視図を示す。この実施形態は、装置１０１が、電源ボタン２３１と、（肌分析の画像のための記憶スペースを増加させるためにＳＤカードを挿入するための）ＳＤカードスロット２３３と、（周辺機器と接続するための）ＵＳＢスロット２３５と、（バスルーム環境内の水の跳ねなどの水を装置１０１から防ぐための）防水カバー２３７と、（装置１０１を充電するための電源を受け入れるための）電源ジャック２３９とを更に備えることを示す。
【００２５】
図３Ａは、カメラモジュール２０１の例示的な分解組立図を示す。カメラモジュール２０１は、レンズ基部３０１と、レンズ３０３と、前面カバー３０５と、二つの遮蔽板３０７と、ガスケット（gasket）３０９とを備える。レンズ３０３は、レンズ基部３０１に装着される。いくつかの実施形態では、レンズ３０３は、最適な画像品質を可能にするように反射防止（ＡＲ）コーティングを有する。図３Ａに示された特定の実施形態では、レンズ３０３は、レンズ基部３０１内に埋め込まれる。図３Ａを参照すると、トンネル３０２は、レンズ３０３とレンズ基部３０１の開いている窓領域３１１との間に接続されている。トンネル３０２は、複数の円形の溝３３５からなり、漏斗形である。言い換えると、窓領域３１１により近い円形の溝３３５は、窓領域３１１にあまり近くない円形の溝の直径よりも大きい直径を有する。レンズ３０３の埋め込まれた位置及び漏斗形のトンネル３０２により、レンズ３０３は、広い視野を特徴として備えている。レンズ基部３０１は、ガスケット３０９を支持するために窓領域３１１の外側に位置する少なくとも一つの支持部３２９を備える。前面カバー３０５は、レンズ基部３０１に脱着可能に結合されると共に、レンズ基部３０１及びレンズ３０３の上方に配置される。いくつかの実施形態では、前面カバー３０５は、窓領域３１１を露出する有孔溝（ｐｅｒｆｏｒａｔｅｄ  ｇｒｏｏｖｅ）３１３を有する。レンズ基部３０１及び前面カバー３０５は、図３Ａに示されたように両方を通じて延びる軸Ａ１（３１５）に沿って互いに対して回ることができる。
【００２６】
遮蔽板３０７の設計は、レンズ３０３を保護するために人間の瞼を模擬する（simulate）。遮蔽板３０７の各々は、ガイド部３１７を有する。ガスケット３０９は、前面カバー３０５に脱着可能に結合され、前面カバー３０５と二つの遮蔽板３０７の間に配置され、相互ロック機構をもたらす。いくつかの実施形態では、遮蔽板３０７間の開口は、関心の範囲、例えば、ユーザの顔、手、又は首だけに調整することができ、残りの領域は、視野から除外されるようになっている。遮蔽板３０７は、ユーザのプライバシーを保護するために及び／又は偶発的な画像の取り込みを防ぐために手動で完全に閉じることもできる。図３Ａに示された特定の実施形態は、二つの遮蔽板３０７を示すが、いくつかの実施形態では、４つの遮蔽板が用いられてもよい。
【００２７】
ガスケット３０９は、貫通穴３１９と第２のガイド部３２１とを有する。貫通穴３１９は、レンズ３０３及び窓領域３１１に適合するように配設される。ガイド部３１７の各々は、対応する第２のガイド部３２１に結合される。ユーザがレンズ基部３０１及び前面カバー３０５を互いに対して手動で回転させるとき、ガイド部３１７は、第２のガイド部３２１によって案内され、それによって遮蔽板３０７を異なる方向に揺動させる。いくつかの実施形態では、遮蔽板３０７の各々は、ガスケット３０９及びレンズ基部３０１に対して並びにガスケット３０９とレンズ基部３０１の間で限られた範囲内で揺動し、それによって遮蔽板３０７は、レンズ３０３を覆うように貫通穴３１９に向けて移動する。この限られた範囲は、シールド板３０７が使用される個数に応じて１８０°又は９０°の範囲内であり得る。
【００２８】
ガスケット３０９は、前面カバー３０５におけるロック突出部３２５に結合されたロック用スロット３２３を備える。図３Ａに示されたこの特定の実施形態では、前面カバー３０５は、４つのガイド部３２７を有する。レンズ基部３０１と前面カバー３０５の間に配置されたガスケット３０９は、遮蔽板３０７を開閉するように回るときにより良い手操作を与える。ガスケット３０９は、防水性であることが好ましい。いくつかの実施形態では、ガスケット３０９は、カメラモジュール２０１がしばしば露出されるバスルーム環境内で特に必要とされるＩＰＸ３以上などの防沫の安全性の格付けを有する材料で作製される。
【００２９】
いくつかの実施形態では、カメラモジュール２０１は、ユーザ画像の明るさ及び鮮明さを最適化するために、ユーザへ光を投じるように動作可能な補助光源３３１を更に備える。好ましくは、補助光源３３１は、レンズ３０１を囲む周辺内でカメラモジュール２０１に配設され、ＬＥＤライトを備える。ＬＥＤライトは、黄色、白色、又は両方とすることができる。黄色のＬＥＤライトと白色のＬＥＤライトの両方が使用される場合、好ましくは、白色ＬＥＤライトは、レンズ３０１を囲む周辺内に配設されると共に、黄色ＬＥＤライトは、レンズ３０１を囲む別の周辺内に配設される。好ましくは、円形の補助光源３３１は、光を拡散させるためにディフューザを備える。拡散された光は、ユーザの肌の取り込まれた画像内に鋭いハイライトを有する可能性を減少させ、肌分析のためにより良い画像品質という結果になる。
【００３０】
カメラモジュール２０１は、ユーザがカメラモジュール２０１の操作を可能にするために肌分析装置１０１の（図８に示された）制御ユニット８１４に電子的に接続されている。制御ユニット８１４は、そのようなユーザ制御を可能にするために、汎用プロセッサ及び特別にコード化されたソフトウェアプログラムによって実施することができる。いくつかの実施形態では、カメラモジュール２０１は、カメラモジュール２０１の遠隔制御を可能にするために、無線送受信機モジュールに電気的に接続することもできる。遮蔽板３０７は、制御ユニット８１４によって制御することができ、又はユーザによって手動で操作することができる。制御ユニット８１４の不適切な制御下でのカメラモジュールの誤作動についての懸念をなくすために、いくつかの実施形態では、遮蔽板３０７の手動操作は、より高い優先権を有し、制御ユニット８１４から電子制御を無視することができる。例えば、ユーザが、カメラモジュール２０１を使用する意図がないとき、遮蔽板３０７は、手動で閉じることができる。そのような設計は、インターネットのタッピングを防ぐのを助ける。
【００３１】
図３Ｂは、肌分析装置１０１の基部の上部に装着されたコネクタ３３１を備えたカメラモジュール２０１を示す。コネクタ３３１は、肌分析装置１０１の基部に対してカメラモジュール２０１の角度を調整することを助けるヒンジなどを備えることが好ましい。したがって、肌分析装置１０１は、様々な身長のユーザに対応することができる。いくつかの実施形態では、カメラモジュール２０１の角度は、反射型ディスプレイ２０３のベクトルに関して±１５°の範囲内である。図３Ｃは、調整された角度が様々なユーザの中で２０ｃｍ（又は７．９インチ）の身長差に対応することができる例示的な使用のシナリオを示す。
【００３２】
いくつかの実施形態では、肌分析装置１０１が設置された後、肌分析装置１０１は、装置１０１がリモートサーバ１０３とうまく通信することができるように、初期セットアップを必要とする。図４Ａは、例示的な初期セットアップの手順を示す。図４Ａ（４０１）のステップ１において、ユーザは、モバイルデバイスへモバイルアプリケーションをダウンロードすることができる。モバイルアプリケーションは、ユーザが肌分析を実行し、複数のモバイルデバイス上でその肌情報を管理することを可能にしており、これは図５〜図７及び図９Ａ〜図１３Ｄとの関連で更に詳細に説明される。ユーザは、新しいユーザプロファイルを生成するために、モバイルアプリケーションを用いてアカウントを登録することができる。ユーザが、ユーザプロファイルを既に有している場合、ユーザは、モバイルアプリケーションにユーザのプロファイルをロードするためにユーザのアカウント情報を用いて単純にサインインすることができる。ユーザプロファイルは、ユーザの性別、年齢、地理的位置などの情報を含むことができる。
【００３３】
図４Ａ（４０３）のステップ２において、ユーザは、モバイルアプリケーションのユーザインターフェースと対話することによって新しい肌分析装置１０１をセットアップするように選ぶことができる。いくつかの実施形態では、次いで、肌分析装置１０１は、無線ルータとして働き、第１のローカル無線ネットワークを与え、それ自体のサービスセット識別子（「ＳＳＩＤ」）をブロードキャストする。肌分析装置１０１によって与えられた無線ネットワークをうまく認識するために、肌分析装置１０１の近距離内にユーザのモバイルデバイス１０５を置くことが望ましい。ユーザは、肌分析装置１０１によって提供されたローカル無線ネットワークに接続すると共に、肌分析装置１０１にモバイルデバイス１０５を接続するように選ぶことができる。いくつかの実施では、次いで、ユーザは、アクセスポイント（「ＡＰ」）ルータなどのモバイルデバイス１０５によって与えられる第２の無線ネットワーク（４０７）の肌分析装置１０１を知らせることができる。次いで、肌分析装置１０１は、そのルータの機能性をオフにすると共に、代わりに第２の無線ネットワークに接続することができる。肌分析装置１０１は、リモートサーバと何らかの将来の無線通信のために第２の無線ネットワーク（４０７）を使用することができる。
【００３４】
図４Ａ（４０５）のステップ３では、ユーザは、自動ログインのためにユーザの顔及び音声認識のセットアップを続けることができる。より具体的には、ユーザは、顔及び音声認識を可能にするために、カメラモジュール２０１を操作して顔画像を撮ると共に、マイクロフォンモジュール２１１を使用して短い音声クリップを記録することができる。顔及び音声認識が可能にされると、ユーザは、何らかのさらなる対話を必要とすることなく、自動的にシステムにログインすることができる。
【００３５】
図４Ｂは、顔及び音声認識が可能にされると、ユーザは、何らかのさらなる対話を必要とすることなく、自動的にシステムにログインすることができることを示す。肌分析装置１０１は、センサ４０９に接近するユーザを検知するように動作可能な自動起動センサ４０９を備え、それに応答して自動起動センサは、装置１０１のプロセッサに、それを起動させるための信号を送る。肌分析装置１０１は、既存の顔情報又は音声情報に基づいてユーザを認識することができ、続いて、ユーザのログインを有効にする。いくつかの実施形態では、自動起動センサ４０９は、例えば肌分析装置から３メートル以内に近接しているときに、ユーザの熱放射（身体温度）を検知することができる赤外線センサ（例えば、受動的な赤外線センサ）である。ユーザが予め定められた期間にわたって非活動状態になる場合、例えば、肌分析装置１０１のシステムは、エネルギーを浪費しないスタンバイモードに切り替わり、ユーザのプライバシーを保護するために現在のユーザを自動的にログアウトする。
【００３６】
ユーザが肌分析装置１０１のシステムにログインした後、ユーザプロファイルは、システム中にロードされ、ユーザは、ユーザ自身の画像（例えば、顔画像）を取り込むことによって肌分析の実行を始めることができる。図５は、ユーザが画像を撮るための例示的なユーザインターフェースを示す。この例では、反射型ディスプレイ２０３は、顔の様々な領域、例えば、目、鼻、及び頬をマークする顔のテンプレート５０１をレンダリングする。ユーザは、テンプレート５０１に適合するようにユーザの顔の位置を調整することができる。次いで、入力インターフェースを介してユーザ入力を送ることによって、例えば、モーションセンサ２０５を介してカメラモジュール２０１をジェスチャ制御することによって、ユーザは、ユーザの顔の高解像度画像を撮ることができる。テンプレートの助けを借りて、肌分析装置１０１は、肌分析のために画像取り込みが実行される度に一貫したやり方でユーザの画像を取り込むことができる。この一貫性は、同じユーザについての撮像データのより正確な比較を可能にする。いくつかの実施形態では、ユーザは、ユーザの手又は首の画像を撮ることもできる。手のテンプレート又は首のテンプレートなどの対応するテンプレートは、ディスプレイ上に示されることが好ましい。いくつかの実施形態では、カメラモジュール２０１は、肌分析装置１０１の基部から延びる又はそこに取り付けられるポールに結合され、このポールの高さは、ユーザの首の部分に対応するように調整可能である。ポールは、単独の付属品とすることができ、肌分析装置１０１から分離可能である。
【００３７】
画像が撮られた後、画像は、処理のために（図８に示された）処理システム８１０へ伝送される。詳細には、処理システム８１０内の画像処理プロセッサ８１６は、取り込まれた画像を処理することができる。画像処理プロセッサ８１６は、専用論理回路又は汎用プロセッサ、並びに特別にコード化されたソフトウェアプログラムによって実施することができる。図６に示されるように、画像は、目のくま（dark circle）６０１、毛穴（pore）６０３、赤い斑点（red spot）６０５、しみ（dark spot）６０７、小じわ（fine line）６０９、しわ(wrinkles)６１１、及び肌の色つや(complexion)６１３などの一つ以上のスキンファクタの下で分析される。図６に示された特定の実施形態では、反射型ディスプレイ２０３にレンダリングされた顔画像の目の下の領域６１５は、目のくま６０１を指し示すようにマークされる。画像処理プロセッサは、上で特定されたスキンファクタごとに測定値を更に計算する。さらなるファクタ（例えば、首のライン又は傷）は、首又は手などのユーザの他の領域の画像について指し示され得る。
【００３８】
取り込まれた画像は、上で特定された一つ以上のスキンファクタに基づいて、肌分析のために更に処理される。図７は、測定は透明感(clarity)７０１、キメ(texture)７０３、ハリ(firmness)７０５、明るさ(brightness)７０７、及び健康さ(healthiness)７０９といった５つの肌指数について得られることを示す。これらは、肌の問題点を診断するための肌指数である。肌指数ごとの測定値は、上で特定されたファクタ（目のくま６０１、毛穴６０３、赤い斑点６０５、しみ６０７、小じわ６０９、しわ６１１、及び肌の色つや６１３）の異なる重みに基づいて計算される。
【００３９】
肌分析装置１０１は消費者の使用のために設計されているので、ユーザは、ユーザが望む頻度でこの分析を実行するように選ぶことができる。例えば、ユーザは、ユーザの日常のルーティンの一部として毎日分析を実行することができる。全部の測定値及び分析結果は記録され、ユーザのユーザプロファイルの一部になる。報告は、そのようなデータに基づいて生成することができる。
【００４０】
図９Ａ〜図９Ｂは、特定のユーザについての分析結果に基づいて例示的な肌の報告を示す。図９Ａは、５つの肌指数（図７に示されるような透明感７０１、キメ７０３、ハリ７０５、明るさ７０７、及び健康さ７０９）についてのスコアを用いて生成されるグラフを示す。グラフは、５つの指数９０１の初期の測定と共に、５つの指数９０３の現在の測定を含む。図９Ａの参照において、ユーザの肌状態は、透明感、ハリ、明るさ、及び健康さについて改善されたように思われる。しかしながら、肌指数「キメ」は、時間と共に改善しなかった。ユーザは、例えば、ここで又は前後のいつでも、現在のスキンケアの目標を「キメ」（９０５）に設定することができる。新しいスキンケアの目標が選択されると、システム１００は、予め定められた期間、例えば６０日にわたって、ユーザのためのスキンケア計画を始める。いくつかの実施形態では、ユーザは、６０日よりも短く又は６０日よりも長く継続期間を設定することができる。この時間フレームの間、ユーザは、このスキンケア計画が有効であるのか判断するために、毎日経過を見て、経過を開始日に収集されたデータと比較することができる。ユーザは、ユーザがユーザの経過に満足している場合、別のスキンケアの目標を自由に選ぶことができる。ユーザは、より多くの注目を必要とする別の指数が存在する場合に、いつでもスキンケアの目標を変更することもできる。スキンケアの目標が選択されない場合、デフォルトの目標は、最小の測定値を有する指数に設定される。図９Ｂは、特定された全部のスキンファクタの概要を示す。この特定の場合では、毛穴６０３、赤い斑点６０５、しみ６０７、しわ６１１、及び小じわ６０９などのファクタは、時間と共に改善された。しかしながら、目のくま６０１は、問題であるままである。全体に、ユーザインターフェースは、ユーザにより高い可撓性を与えることが意図されている。
【００４１】
肌分析システム１００は、肌状態の履歴的変化の追跡をやはり維持する。例えば、図１０Ａは、肌指数「ハリ」の変化を説明する図を示す。この実施形態では、ユーザは、３０日の期間にわたって透明感についてのユーザの経過を見ることもできる。いくつかの実施形態では、６０日の予め決定された継続時間が使用される。ユーザは、ユーザの好みに基づいて予め決定された継続時間をカスタマイズすることもできる。予め決定された継続時間に応じて、中間及び最終の経過報告が生成され、様々な時点で利用可能になり得る。
【００４２】
図１０Ｂは、肌分析装置１０１によって取り込まれた第１の顔画像と最新の顔画像の写真比較を示す。ユーザは、異なる時間における肌状態の変化及び何らかの経過がなされているかについて視覚的に比較するために、入力インターフェースを介して仕切り線１００１を調整することができる。
【００４３】
いくつかの実施形態では、上述した肌の報告及び追跡された履歴的変化は、図１に示されるようにリモートサーバ１０３に記憶される。したがって、図９Ａ〜図９Ｂに示された肌の報告、及び図１０Ａ〜図１０Ｂに示された変化は、肌分析装置１０１、又は携帯電話若しくはタブレット１０５などのモバイルデバイスに表示することができる。ユーザプロファイルをリモートサーバで利用可能にさせたので、いつでも情報の便利な利用が可能である。ユーザは、ユーザの都合のよいときに容易にユーザの肌の概要を確認する又はユーザの肌状態の改善を追跡することができる。
【００４４】
顔画像が撮られたときに実行される肌分析に加えて、複雑なデータ分析は、スキンケアの秘訣及びスキンケア製品の推奨などのスキンケアの推奨を生成するために、リモートサーバで実行されてもよい。図１１は、そのような複雑なデータ分析が肌の測定１００１、分析結果１００３、ユーザの肌質１００５、肌指数及び目標１００７、ユーザの個人的な好み１００９、ライフスタイル１０１１、並びに気象条件（図示せず）などの様々な入力を用いて実行することができることを示す。これらの入力は、ユーザプロファイルの一部として共に取得することができ、又は複雑なデータ分析に使用される特徴的なファクタであり得る。入力は、システムが各ユーザを一つ以上の別個の肌状態のグループに分類し、使用される肌製品及び製品の有効性などの製品情報をユーザについて対応する肌状態のグループに類別することを可能にする。そのような類別は、ユーザごとの適切なスキンケアの推奨のより正確な生成を可能にする。例えば、十分なデータが肌状態のグループについて収集される場合、システムは、特定のグループ内のユーザの大部分によって一般に共有される問題点に対処するのに最も有効である製品を正確に特定することができる。この特定のグループに分類される任意の新しいユーザについては、システム１００によって生成されるスキンケアの推奨は、ユーザがユーザのスキンケアの目標をより効率的に実現することを可能にし得る。加えて、システム１００は、あるスキンケアの懸念についてユーザに思い出させるようにユーザのためにリマインダを生成することができる。例えば、気象条件が外側で過酷である場合（例えば、高いＵＶ指数、又は極端に冷たい気象）、システム１００は、そのような過酷な条件からユーザの肌を保護するために、さらなる日焼け止め剤又は保湿用クリームを塗布するようにユーザに思い出させることができる。
【００４５】
更に、複雑なデータ分析の結果を使用して、ユーザに適した様々なスキンケアルーティンを構築することができる。例えば、図１２Ａ及び図１２Ｂに示されるように、昼のスキンケアルーティン１２０１、及び夜のスキンケアルーティン１２０３は、ユーザの肌質、肌の測定、分析結果、及び肌の目標に基づいて生成される。いくつかの実施形態では、性別特有の問題、年齢特有の問題、又はライフスタイル特有の問題を対象にする特別のスキンケアルーティンも利用可能である。例えば、システムは、夜のシフトをしばしばとるユーザのために異なるスキンケアルーティンを生成することができる。これらのルーティンは、夜のシフトがこれらの指数により大きい影響を及ぼすことによって肌の健康さ及び明るさにより重点をおくことができる。ユーザは、ユーザの個人的な好みに基づいてルーティンを更に修正及びカスタマイズすることができる。
【００４６】
スキンケアルーティンは、スキンケア製品のカスタマイズされたデータベース１０２に統合もされる。データベース１０２は、システム１００によって推奨された製品、及びユーザによって選択された特定の製品を含むことができる。図１３Ａは、ユーザの自身の製品リストを構築するためにユーザが製品のバーコードをスキャンすることを可能にする例示的なユーザインターフェースを示す。ユーザが製品のバーコードをスキャンした後、システム１００は、製品を認識し、例えば、クレンザ、日焼け止め剤など、製品をその機能に基づいて類別する。例えば、図１３Ｂでは、ユーザインターフェース１３０１は、現在、データベース１０２が二つの異なるフェイシャルマスク１３０３を含むことを示す。システム１００が新たにスキャンされた製品についての情報を認識し位置を確認することができない場合、ユーザは、製品の写真をとり、情報を手動で入力することができる。次いで、写真及び手動入力された情報は、システム１００によって記憶され、将来の自動的な製品認識に使用され得る。
【００４７】
データベース１０２は、スキンケアルーティンの有効性を改善し高めるためにシステム１００へより多くの情報を与える。図１３Ｃは、図１３Ｂに示されるようなデータベースに記録された同じ化粧落とし製品１３０５が、夜間ルーティンの一部としてここで選択されることを示す。ユーザは、例えば製品記録レポートを調べることによって製品の有効性を追跡することができる。図１３Ｄは、製品記録レポートの例示的な図を示す。この図では、肌状態（しわ６１１、毛穴６０３、小じわ６０９、目のくま６０１、しみ６０７、赤い斑点６０５、及び肌の色つや６１３）についての測定値は、予め決定された期間にわたって追跡される。履歴的記録データに基づいて、ユーザは、製品がその所期のタスクについて有効であるか決定を行うことができる。ユーザは、ユーザがそう決める場合、この製品を同じカテゴリー内の代替物に置き換えることができる。いくつかの実施形態では、システムは、ユーザのデータベース内の特定の製品が期限切れとなりそうであるときにユーザにリマインダを送る。次いで、ユーザは、もうすぐ有効期限が切れる製品を新しい製品と置き換えることができる。ユーザは、モバイルアプリを用いて肌分析装置１０１又はユーザのモバイルデバイス１０５において製品を見直しランク付けすることもできる。対応するランキング情報は、リモートサーバ１０３へ送信され、システムが将来より有効に適した製品をユーザに推奨することを可能にする。
【００４８】
開示されたシステム１００は、ユーザの化粧の経験を改善することもできる。いくつかの実施形態では、ＬＥＤライトの一つ又は二つのアレイは、肌分析装置１０１に組み込まれ、反射型ディスプレイ２０３の側面に配置される。ＬＥＤライトの色は、白色又は黄色とすることができる。ＬＥＤライトは、ユーザがシミュレートされたライティングシナリオの下で化粧を塗布することができるように、異なるライティングシナリオをシミュレートすることができる。図１４は、ＬＥＤライトが（１）２５００Ｋから２７００Ｋの光の温度を有する日暮れの眺め１４０１、（２）３０００Ｋから３５００Ｋの光の温度を有するレストラン又はパーティー会場１４０３、（３）４０００Ｋから４５００Ｋの光の温度を有するショッピングモール又はスーパーマーケット１４０５、（４）５０００Ｋから５５００Ｋの光の温度を有する明るく照らされたオフィス１４０７、及び（５）６０００Ｋから６５００Ｋの光の温度を有する晴れた日の野外１４０９をシミュレートするライティングシナリオの例を示す。いくつかの実施形態では、反射型ディスプレイ２０３上に示されたグラフィカルユーザインターフェースは、ユーザが入力インターフェースを介してユーザ入力によって望ましいシナリオを適切に選択することを可能にするように、温度の色とシミュレートされた環境の間のマッピングを指し示す。
【００４９】
選択された化粧のライティングシナリオに応じて、システムは、いくつかの化粧効果を推奨することができる。ユーザが所望の効果を選択した後、システムは、所望の化粧効果を最も良く実現する適切な化粧製品を推奨することができる。システムは、ユーザの化粧塗布テクニックに基づいて化粧用具を更に推奨することができる。例えば、図２Ａに示されたモーションセンサ２０５は、ユーザが大きいストローク又は小さいストロークを用いてファンデーションを塗る傾向があるか検出することができる。次いで、モーションセンサ２０５の検出結果に基づいて、システムは、ユーザのファンデーション塗布テクニックを用いてより有効に働く対応する化粧用具、例えば、ファンデーションブラシ又はスポンジを推奨する。いくつかの実施形態では、モーションセンサ２０５は、スキンケア製品がユーザによってどのように塗られるのか検出することもでき、システムがユーザのために対応するスキンケアの秘訣及び推奨を生成することを可能にする。ユーザがユーザの化粧を塗っている間、システムは、プロセス全体にわたってユーザを支援するために現在の効果と所望の効果の比較を表示することができる。
【００５０】
図１５は、肌分析を実行する例示的な方法１５００のフローチャート図である。この方法は、例えば、図２Ａ〜図１０Ｂ、及び図１４に説明された肌分析装置１０１上で実施することができる。方法は、１５０２において、反射型ディスプレイ上にユーザへの情報を表示するためのグラフィカルユーザインターフェースをレンダリングするステップと、１５０４において、グラフィカルユーザインターフェースと対話するためのジェスチャ入力をユーザから受信するステップと、１５０６において、画像取込みモジュールによってユーザの画像を取り込むステップと、１５０８において、ユーザの肌状態を分析するために取り込まれた画像を処理するステップと、１５１０において、ユーザの肌状態の分析に基づいて肌プロファイルを生成するステップと、１５１２において、コンピューティング装置へ向かって肌プロファイルを無線送信するステップと、１５１４において、コンピューティング装置から、ユーザの肌プロファイルに基づいて生成されるスキンケアフィードバックを受信し、受信したスキンケアフィードバックをユーザへ提示するためにグラフィカルユーザインターフェースを使用するステップとを含む。
【００５１】
図１６は、ユーザの肌状態を分析する例示的なサーバシステム１６００を示す。サーバシステム１６００は、通信ユニット（１６０２）と、命令を保持する一つ以上のメモリ（１６０４）と、通信ユニット及び一つ以上のメモリに結合された処理システム（１６０６）とを備える。処理システム１６００は、一つ以上のメモリから命令を読み込むと共に、肌状態データを分析する方法を実施するように動作可能である。この方法は、通信ユニットを介して肌分析装置からユーザの肌プロファイルを受信するステップと、一つ以上の肌プロファイルに基づいてスキンケアフィードバックを生成するステップと、通信ユニットを介して肌分析装置へスキンケアフィードバックを送信するステップとを含む。
【００５２】
図１７は、肌分析装置を構成する方法１７００の例示的なフローチャートを示す。方法１７００は、１７０２において、モバイルデバイス上で肌分析を実行し肌情報を管理するモバイルアプリケーションをインストールするステップと、１７０４において、ユーザのアカウント情報を用いてモバイルアプリケーションにサインインするステップと、１７０６において、モバイルデバイスを用いて肌分析装置によってブロードキャストされる第１の無線ネットワークを発見するステップと、１７０８において、第１の無線ネットワークに参加するようにモバイルデバイスを指示することによってモバイルデバイスを肌分析装置に接続するステップと、１７１０において、モバイルデバイスを用いて、肌分析装置が第２の無線ネットワーク上で通信することを可能にする第２の無線ネットワークを肌分析装置に知らせるステップとを含む。
【００５３】
いくつかの実施形態では、肌分析装置は、体重計装置と統合して使用することができる。図１８に示されるように、肌分析装置１０１は、スマート体重計１８０３に無線接続される。体重計に乗った後、ユーザは、肌分析装置１０１上で、体重、並びに基礎代謝率（ＢＭＲ）、体内全水分量（ＴＢＷ）、及び骨質量などの他の身体指数を見て追跡することもできる。そのような情報は、ユーザがより良いライフスタイルの選択を行うと共に健康な身体及び輝いて見える肌を維持することを可能にする。
【００５４】
いくつかの実施形態では、肌分析装置は、ユーザのバスルーム及び寝室内の媒体中心として機能することができる。肌分析装置１０１の無線能力は、それが公衆インターネット上で利用可能な音楽ソースに接続し、コンテンツをユーザに流すことを可能にする。例えば、単純なジェスチャ又は音声命令の場合、肌分析装置は、バックグラウンド音楽を流し始めることができる。ユーザは、流された音楽にリラックスすることができ、又はユーザの規則的なスキンケア又は化粧のルーティンについていくことができる。ユーザがスキンケア又は化粧の目的で肌分析装置を能動的に用いていないとき、この装置は、デジタルフォトフレームとして機能することもできる。肌分析装置１０１は、この装置に取り込まれ及びローカルに記憶された画像を再生することができ、肌分析装置１０１は、その無線接続を介して遠隔からアクセス可能な画像又は動画を示すこともできる。
【００５５】
いくつかの実施では、肌状態及びスキンケアの経過についての情報は、他のユーザと共有することができる。画像取り込み装備を備えた電子機器に適合されたケア情報を共有する方法は、これを実現するために実施することができる。特有の一実施では、例えば、方法は、画像取り込み装備から現在のユーザの顔データを取得し、初期の肌情報として現在の肌情報を得るために顔データを分析するステップと、電子機器によって予め定められた期間、及び肌状態の目標を設定するステップと、予め定められた期間内で現在のユーザの現在の肌情報及びケア情報を連続的に記録し、電子機器によって肌状態の目標が最初の肌情報と現在の肌情報の比較によって実現されるか判定するステップと、肌状態の目標が実現されるときに、予め定められた期間内の現在のユーザのケア情報を現在のユーザに対応する肌達成履歴の中に配列するステップと、ほぼ最初の肌情報及びほぼ予め定められた期間の状況下で肌状態の目標を実現することを望む別のユーザと肌達成履歴を共有するステップとを含むことができる。方法は、現在のユーザをクラウドデータベースによる最初の肌情報に従って複数のグループのうちの一つのグループに分類するステップであって、各グループは複数の分類されたユーザを含み、現在のユーザと別のユーザは共に分類されたユーザのうちの一つに属する、分類するステップを更に含むことができる。いくつかの実施形態では、現在のユーザをグループの一つに分類するステップは、最初の肌情報及び複数の分類の基準に従ってグループの一つに現在のユーザを分類するステップを含むことができ、分類の基準は、現在のユーザの性別、年齢、地理的位置、人種情報、及び予め定められた期間、又はそれらの組み合わせを含むことができる。いくつかの実施形態では、ケア情報は、現在のユーザの少なくとも一つのケア行動と現在のユーザによって使用されている少なくとも一つのケア製品とを含むことができる。
【００５６】
したがって、開示された技術は、他のユーザと現在のユーザは、同じグループに属している場合に、あるユーザの肌達成履歴をほぼ最初の肌情報及びほぼ予め定められた期間の状況下で肌達成履歴を実現することを望み別のユーザと共有することを可能にするように実施することができる。例えば、ユーザは、顔のスキンケアについての個人的な秘訣を共有するように、肌状態の目標を実現した後に、スキンケア履歴を同じ肌状態を有する他のユーザと電子機器によって共有することができる。ユーザは、現在のユーザについての顔のスキンケアを参照するときに、他のユーザによって共有されたケア情報を得ることもできる。スキンケア履歴はまた、サービスプロバイダ、又は更に皮膚科医と共有し、したがって彼らはこのスキンケア履歴が実際に顔の肌を改善することができるのか確認することができる。また、皮膚科医は、ケア情報及び流れを更に改善するために、ケア履歴に関しての改善について示唆を与えることができる可能性がある。
【００５７】
開示された及び他の実施形態、本文献に記載されたモジュール、及び機能動作は、本文献に開示された構造及びそれらの構造的均等物を含む、デジタル電子回路内、又はコンピュータソフトウェア、ファームウェア、若しくはハードウェア内で、又はそれらの一つ以上の組み合わせ内で、実施することができる。開示された及び他の実施形態は、一つ以上のコンピュータプログラム製品として、すなわち、データ処理機器によって実行され、又はデータ処理機器の動作を制御するために実行されるためのコンピュータ可読媒体上にエンコードされたコンピュータプログラム命令の一つ以上のモジュールとして実施することができる。コンピュータ可読媒体は、機械可読記憶装置、機械可読記憶構造、メモリ装置、機械可読伝搬信号に影響を及ぼす物質の組成物、又はそれらの一つ以上の組み合わせとすることができる。用語「処理システム」は、例として、プログラマブルプロセッサ、コンピュータ、又は複数のプロセッサ若しくはコンピュータなどのデータ及び画像を処理する全ての機器、装置、機械を包含する。機器は、ハードウェアに加えて、問題のコンピュータプログラムについての実行環境を生成するコード、例えば、プロセッサファームウェア、プロトコルスタック、データベース管理システム、オペレーティングシステム、又はそれらの一つ以上の組み合わせを構成するコードを含むことができる。伝搬信号は、適切な受信機機器への送信のために情報をエンコードするために生成される人工的に生成された信号、例えば、機械で生成された電気信号、光信号、又は電磁気信号である。
【００５８】
コンピュータプログラム（プロフラム、ソフトウェア、ソフトウェアアプリケーション、スクリプト、又はコードとしても知られている）は、コンパイル型言語又はインタプリト型言語を含むプログラミング言語の任意の形態で記述することができ、それは、スタンドアローンのプログラムとして、或いはモジュール、コンポーネント、サブルーチン、又はコンピューティング環境における使用に適した他のユニットとして含む任意の形態で展開することができる。コンピュータプログラムは、ファイルシステム内のファイルに必ずしも対応しない。プロフラムは、他のプログラム又はデータ（例えば、マークアップ言語のドキュメントに格納された一つ以上のスクリプト）を保持するファイルの一部内に、問題のプログラムに専用の単一のファイル内に、或いは複数の連係して機能するファイル（例えば、一つ以上のモジュール、サブプログラム、又はコードの一部を記憶するファイル）内に記憶することができる。コンピュータプログラムは、一つのサイトに位置する、又は複数のサイトにわたって分散していると共に通信ネットワークによって相互接続されている一つのコンピュータ又は複数のコンピュータで実行されるように展開することができる。
【００５９】
本文献に記載されたプロセス及び論理の流れは、入力データを操作し出力を生成することによって機能を実行するように一つ以上のコンピュータプログラムを実行する一つ以上のプログラマブルプロセッサによって実施され得る。このプロセス及び論理の流れは、専用論理回路、例えば、ＦＰＧＡ（フィールドプログラマブルゲートアレイ）、又はＡＳＩＣ（特定用途向け集積回路）によって実施することもでき、機器は、専用論理回路、例えば、ＦＰＧＡ（フィールドプログラマブルゲートアレイ）、又はＡＳＩＣ（特定用途向け集積回路）として実装することもできる。
【００６０】
コンピュータプログラムの実行に適したプロセッサは、例として、汎用マイクロプロセッサと専用マイクロプロセッサの両方、及び任意の種類のデジタルコンピュータの任意の一つ以上のプロセッサを含む。一般に、プロセッサは、リードオンリメモリ又はランダムアクセスメモリ或いは両方から命令及びデータを受信する。コンピュータの不可欠な要素は、命令を実行するためのプロセッサと、命令及びデータを記憶するための一つ以上のメモリ装置とである。一般に、コンピュータは、データを記憶するための一つ以上の大容量記憶装置、例えば、磁気ディスク、光磁気ディスク、又は光ディスクも備え、それらからデータを受信し、又はそれらへデータを送信し、或いはその両方を行うように動作可能に結合されている。しかしながら、コンピュータは、そのような装置を有することを必要としない。コンピュータプログラム命令及びデータを記憶するのに適したコンピュータ可読媒体は、例として、半導体メモリデバイス、例えば、ＥＰＲＯＭ、ＥＥＰＲＯＭ、及びフラッシュメモリデバイス、磁気ディスク、例えば、内部ハードディスク、又はリムーバブルディスク、光磁気ディスク、並びにＣＤ  ＲＯＭディスク及びＤＶＤ−ＲＯＭディスクなどの不揮発性メモリ、媒体、及びメモリデバイスの全ての形態を含む。プロセッサ及びメモリは、専用論理回路によって補足されてもよく、又は専用論理回路に組み込まれてもよい。
【００６１】
本文献は、多くの詳述を含むが、これらは、請求される本発明の範囲又は請求され得るものの範囲に限定として解釈されるべきでなく、特定の実施形態に特有の特徴の説明として解釈されるべきである。別個の実施形態の内容における本文献に記載されているある種の特徴は、単一の実施形態における組み合わせで実施することもできる。逆に、単一の実施形態の内容に記載されている様々な特徴は、複数の実施形態において別個に実施することもでき、又は任意の適切なサブコンビネーションで実施することもできる。また、特徴は、ある組み合わせで働くものとして、及び更に当初に請求されたそのようなものとして上述され得るものであるが、場合によっては、請求された組み合わせからの一つ以上の特徴は、組み合わせから削除されてもよく、請求された組み合わせは、サブコンビネーションに向けられてもよく、又はサブコンビネーションの変形例に向けられてもよい。同様に、動作は、特定の順序で図面に示されるが、これは、望ましい結果を実現するために、そのような動作が示された特定の順序で又は連続した順序で実行されること、或いは示された動作が全て実行されること必要とするものとして理解されるべきではない。
ほんのわずかないくつかの例及び実施が開示されている。記載した例及び実施の変形、修正、及び改良、並びに他の実施が、開示されたものに基づいてなされてもよい。
【符号の説明】
【００６２】
１００  肌分析システム、システム
１０１  肌分析装置
１０２  データベース
１０３  リモートサーバ、サーバ
１０５  モバイルデバイス、タブレット
２０１  カメラモジュール
２０３  反射型ディスプレイ、ディスプレイ
２０５  モーションセンサ
２０７  タッチキー
２０９  基部
２１１  溝、マイクロフォンモジュール
２１３  温度センサ
２１５  ホームページ（ホーム）
２１７  ディスプレイ（鏡）
２１９  設定メニュー（メニュー）
２２１  現在のページ
２２３  現在のページ
２２５  キャパシタベースのプリント回路基板（ＰＣＢ）、タッチＰＣＢ
２２７  金属パッド、金属タッチプレート
２２９  プラスチックケーシング
２３１  電源ボタン
２３３  ＳＤカードスロット
２３５  ＵＳＢスロット
２３７  防水カバー
２３９  電源ジャック
３０１  レンズ基部、レンズ
３０２  トンネル
３０３  レンズ
３０５  前面カバー
３０７  遮蔽板、シールド板
３０９  ガスケット
３１１  開いている窓領域、窓領域
３１３  有孔溝
３１５  軸Ａ１
３１７  ガイド部
３１９  貫通穴
３２１  第２のガイド部
３２３  ロック用スロット
３２５  ロック突出部
３２７  ガイド部
３２９  支持部
３３１  補助光源、コネクタ
３３５  円形の溝
４０７  第２の無線ネットワーク
４０９  自動起動センサ、センサ
６０１  目のくま
６０３  毛穴
６０５  赤い斑点
６０７  しみ
６０９  小じわ
６１１  しわ
６１３  肌の色つや
７０１  透明感
７０３  キメ
７０５  ハリ
７０７  明るさ
７０９  健康さ
８０４  反射型ディスプレイ
８０６  入力インターフェース
８０８  画像取込みモジュール
８１０  処理システム
８１２  無線通信モジュール
８１４  制御ユニット
８１６  画像処理プロセッサ
９０１  指数
９０３  指数
９０５  キメ
１００１  仕切り線、肌の測定
１００３  分析結果
１００５  ユーザの肌質
１００７  肌指数及び目標
１００９  ユーザの個人的な好み
１０１１  ライフスタイル
１２０１  昼のスキンケアルーティン
１２０３  夜のスキンケアルーティン
１３０１  ユーザインターフェース
１３０３  フェイシャルマスク
１３０５  化粧落とし製品
１４０１  日暮れの眺め
１４０３  レストラン又はパーティー会場
１４０５  ショッピングモール又はスーパーマーケット
１４０７  明るく照らされたオフィス
１４０９  晴れた日の野外
１５００  例示的な方法
１６００  例示的なサーバシステム、処理システム
１６０２  通信ユニット
１６０４  メモリ
１６０６  処理システム
１７００  例示的な方法
１８０３  スマート体重計
【図１】
2018108377.tif 000003
【図２Ａ】
2018108377.tif 000004
【図２Ｂ】
2018108377.tif 000005
【図２Ｃ】
2018108377.tif 000006
【図２Ｄ】
2018108377.tif 000007
【図２Ｅ】
2018108377.tif 000008
【図２Ｆ】
2018108377.tif 000009
【図２Ｇ】
2018108377.tif 000010
【図３Ａ】
2018108377.tif 000011
【図３Ｂ】
2018108377.tif 000012
【図３Ｃ】
2018108377.tif 000013
【図４Ａ】
2018108377.tif 000014
【図４Ｂ】
2018108377.tif 000015
【図５】
2018108377.tif 000016
【図６】
2018108377.tif 000017
【図７】
2018108377.tif 000018
【図８】
2018108377.tif 000019
【図９Ａ】
2018108377.tif 000020
【図９Ｂ】
2018108377.tif 000021
【図１０Ａ】
2018108377.tif 000022
【図１０Ｂ】
2018108377.tif 000023
【図１１】
2018108377.tif 000024
【図１２Ａ】
2018108377.tif 000025
【図１２Ｂ】
2018108377.tif 000026
【図１３Ａ】
2018108377.tif 000027
【図１３Ｂ】
2018108377.tif 000028
【図１３Ｃ】
2018108377.tif 000029
【図１３Ｄ】
2018108377.tif 000030
【図１４】
2018108377.tif 000031
【図１５】
2018108377.tif 000032
【図１６】
2018108377.tif 000033
【図１７】
2018108377.tif 000034
【図１８】
2018108377.tif 000035
【外国語明細書】
2018108377000001.pdf